【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
Ｗｅｂページを求めるリクエストを受信するステップであって、前記リクエストは、前記リクエストされたＷｅｂページが表示される画面の解像度に関する情報を含むステップと、
前記リクエストされたＷｅｂページと関連づけられた解像度を判定するステップと、
前記リクエストされたＷｅｂページと関連づけられた前記解像度が前記リクエストされたＷｅｂページが表示される画面の前記解像度よりも高いかどうかを判定するのに有効であるように、前記リクエストされたＷｅｂページと関連づけられた前記解像度と、前記リクエストされたＷｅｂページが表示される画面の前記解像度とを比較するステップと、
前記リクエストされたＷｅｂページと関連づけられた前記解像度が、前記リクエストされたＷｅｂページが表示される画面の前記解像度よりも高いとの判定に応答して、前記リクエストされたＷｅｂページと関連づけられたブリッジページをデータベースにて検索するステップと、
前記データベースにて前記ブリッジページを検索し、前記ブリッジページが見つからないことに応答して、前記ブリッジページを生成するステップであって、前記ブリッジページは前記リクエストされたＷｅｂページの要約を備え、前記リクエストされたＷｅｂページが表示される前記画面の解像度に依存して生成される、ステップと、
前記リクエストされたＷｅｂページを提供する代わりに表示のために前記ブリッジページを提供するステップと
を含む、コンピューター実装方法。
【請求項２】
少なくとも１つのＷｅｂページと関連づけられた少なくとも１つの広告バナーを送信するステップをさらに含み、
前記Ｗｅｂページに対するリクエストは、前記Ｗｅｂページと関連づけられた前記少なくとも１つの広告バナーに応答して受信される、請求項１に記載のコンピューター実装方法。
【請求項３】
前記リクエストされたＷｅｂページと関連付けられた前記ブリッジページを提供することに応答して、前記Ｗｅｂページに関する第２のリクエストを受信するステップと、
前記リクエストされたＷｅｂページを、前記Ｗｅｂページの要求元へ送信させるステップと
をさらに含む、請求項１に記載のコンピューター実装方法。
【請求項４】
前記リクエストされたＷｅｂページを送信させるステップは、前記Ｗｅｂページをホストするサーバーへリダイレクトさせるステップを含む、請求項３に記載のコンピューター実装方法。
【請求項５】
前記Ｗｅｂページへのリンクを、前記Ｗｅｂページの要求元へ送信させるステップをさらに含む、請求項１に記載のコンピューター実装方法。
【請求項６】
前記データベースにて検索するステップは、前記Ｗｅｂページをホストしないサーバーにおける前記データベースを検索するステップを含む、請求項１に記載のコンピューター実装方法。
【請求項７】
デバイスにプロセスを行わせるように実行可能な命令を含む、１つまたは複数のコンピューター可読記憶媒体であって、前記プロセスは、
少なくとも１つの広告バナーを送信するステップであって、前記広告バナーは、少なくとも１つの広告主のＷｅｂページと関連づけられている、ステップと、
前記少なくとも１つの広告バナーの送信に応答して、前記広告バナーと関連づけられた前記広告主のＷｅｂページを求めるリクエストを受信するステップであって、前記リクエストは、前記リクエストされた広告主のＷｅｂページが表示される画面の解像度に関する情報を含むステップと、
前記リクエストされた広告主と関連づけられたＷｅｂページの解像度を判定するステップと、
前記リクエストされた広告主のＷｅｂページと関連づけられた前記解像度が、前記画面の前記解像度よりも高いかどうかを判定するのに有効であるように、前記リクエストされた広告主のＷｅｂページと関連づけられた前記解像度と、前記リクエストされた広告主のＷｅｂページが表示される前記画面の前記解像度とを比較するステップと、
前記リクエストされた広告主のＷｅｂページと関連づけられた前記解像度が、前記画面の前記解像度よりも高いとの判定に応答して、前記リクエストされた広告主のＷｅｂページと関連づけられたブリッジページのデータベースを検索するステップと、
前記ブリッジページを検索し、前記ブリッジページが見つからないことに応答して、前記リクエストされた広告主のＷｅｂページが表示される画面の前記解像度に依存するブリッジページを生成するステップと、
前記広告主のＷｅｂページの代わりに表示するため、前記リクエストされた広告主のＷｅｂページに関連付けられた前記ブリッジページを提供するステップと
を含む、１つまたは複数のコンピューター可読記憶媒体。
【請求項８】
前記ブリッジページを生成するステップは、前記ブリッジページを生成するステップを含み、前記ブリッジページの解像度は、前記リクエストされた広告主のＷｅｂページが表示される前記画面の前記解像度と一致し、前記ブリッジページは、前記リクエストされた広告主のＷｅｂページの概要を含む、
請求項７に記載の１つまたは複数のコンピューター可読記憶媒体。
【請求項９】
前記プロセスは、前記リクエストされた広告主のＷｅｂページと関連づけられた前記ブリッジページの提供に応答して、前記広告主のＷｅｂページを求める第２のリクエストを受信するステップと、
前記リクエストされた広告主のＷｅｂページを、前記広告主のＷｅｂページの要求元へ送信させるステップと
をさらに含む、請求項８に記載の１つまたは複数のコンピューター可読記憶媒体。
【請求項１０】
前記リクエストされた広告主のＷｅｂページを送信させるステップは、前記リクエストされた広告主のＷｅｂページをホスティングするサーバーへリダイレクトさせることを含む、請求項９に記載の１つまたは複数のコンピューター可読記憶媒体。
【請求項１１】
データベースに前記ブリッジページを格納するステップをさらに含み、前記データベースは前記リクエストされた広告主のＷｅｂページをホスティングサーバーに配置されない、請求項１０に記載の１つまたは複数のコンピューター可読記憶媒体。
【請求項１２】
表示のために前記リクエストされた広告主のＷｅｂページと関連付けられたブリッジページを提供するステップは、データベース内に前記リクエストされた広告主のＷｅｂページと関連付けられた前記ブリッジページを位置づけるステップを含む、請求項７に記載の１つまたは複数のコンピューター可読記憶媒体。
【請求項１３】
前記リクエストされたＷｅｂページの前記解像度を判定するステップは、前記リクエストされたＷｅｂページの前記解像度に関する情報を前記Ｗｅｂページに対するコードから抽出するステップを含む、請求項１に記載のコンピューター実装方法。
【請求項１４】
前記ブリッジページを生成するステップは、
１つ以上のキーワードまたは概念を前記Ｗｅｂページから抽出するステップと、
前記ブリッジページを生成するのに有効なテンプレートのブリッジページを修正するために前記１以上のキーワードまたは概念を利用するステップと、
を含む請求項１に記載のコンピューター実装方法。
【請求項１５】
前記リクエストされた広告主のＷｅｂページの前記解像度を判定するステップは、前記リクエストされた広告主のＷｅｂページの前記解像度に関する情報を前記Ｗｅｂページに対するコードから抽出するステップを含む、請求項７に記載の１つまたは複数のコンピューター可読記憶媒体。
【請求項１６】
前記ブリッジページを生成するステップは、
１つ以上のキーワードまたは概念を前記リクエストされた広告主のＷｅｂページから抽出するステップと、
前記ブリッジページを生成するのに有効なテンプレートのブリッジページを修正するために前記１以上のキーワードまたは概念を利用するステップと、
を含む、請求項７に記載の１つまたは複数のコンピューター可読記憶媒体。
【請求項１７】
１個または複数個のプロセッサと、
コンピューター可読命令を有する１つまたは複数のコンピューター可読記憶媒体であって、該命令は実行されると、
前記リクエストされたＷｅｂページが表示される画面の解像度に関する情報を含む、ウェブページに関するリクエストを受信するステップと、
前記リクエストされたＷｅｂページと関連づけられた前記解像度が、前記リクエストされたＷｅｂページが表示される前記画面の前記解像度よりも高いかどうかを判定するのに有効であるように、前記リクエストされたウェブページと関連付けられた前記解像度と、前記リクエストされたＷｅｂページが表示される前記画面の解像度とを比較するステップと、
前記リクエストされたＷｅｂページと関連づけられた前記解像度が、前記リクエストされたＷｅｂページが表示される画面の前記解像度よりも高いとの判定に応答して、前記リクエストされたＷｅｂページと関連づけられたブリッジページをデータベースにて検索するステップと、
前記データベースにて前記ブリッジページを検索し、前記ブリッジページが見つからないことに応答して、前記ブリッジページを生成するステップであって、前記ブリッジページは前記リクエストされたウェブページの要約を備え、前記リクエストされたＷｅｂページが表示される前記画面の解像度に依存して生成される、ステップと、
前記リクエストされたＷｅｂページを提供する代わりに表示のために前記ブリッジページを提供するステップと
を備える動作を実行する、システム。
【請求項１８】
前記リクエストされたＷｅｂページと関連付けられた前記ブリッジページを提供することに応答して、前記Ｗｅｂページに対する第２のリクエストを受信するステップと、
前記リクエストされたＷｅｂページを、前記Ｗｅｂページの要求元へ送信させるステップと
をさらに備える動作を実行する、請求項１７に記載のシステム。